(57)【要約】【課題】装飾体を効率良く且つ安定して動作させると共に、装飾体を動作させる演出効果を向上させた遊技機を提供する。【解決手段】パチンコ機は、モータ１０３、第一回転部材、第二回転部材、上下動板１２１、左下装飾体１５０、及び駆動モータを備える。モータ１０３は、第一回転部材と第二回転部材を夫々回転させる。上下動板１２１は、第一回転部材が摺動可能に連結する第一長穴１２７と、第二回転部材が摺動可能に連結する第二長穴１２８を備える。第一回転部材が第一長穴１２７に摺動し、第二回転部材が第二長穴１２８に摺動することで、上下動板１２１は上下動する。左下装飾体１５０と駆動モータは、上下動板１２１に設けられる。左下装飾体１５０は駆動モータから動力を得ることで動作する。駆動モータは、第一長穴１２７と第二長穴１２８とのうちで第一長穴１２７に近い位置に設けられる。【選択図】図３
2018027259.tif 000002
【特許請求の範囲】
【請求項１】
第一駆動源と、
上下方向と交差して延びる第一回転軸線を中心に、前記第一駆動源から動力を得て回転する第一回転部材と、
前記第一回転軸線が延びる方向と上下方向とに交差する方向に、前記第一回転部材と並んで設けられ、前記第一回転部材を経由して伝達される前記第一駆動源の動力を得て、前記第一回転軸線と平行な第二回転軸線を中心に回転する第二回転部材と、
前記第一回転部材が摺動可能に連結する第一長穴と、前記第二回転部材が摺動可能に連結する第二長穴とを有し、前記第一回転部材と前記第二回転部材がそれぞれ前記第一長穴と前記第二長穴とに対して摺動することで、上下方向に沿って移動する移動体と、
前記移動体に移動可能に設けられた第一装飾体と、
前記移動体に設けられ、前記第一長穴と前記第二長穴とのうちで前記第一長穴に近い位置に設けられ、前記第一装飾体に動力を付与する第二駆動源と
を備えたことを特徴とする遊技機。
【請求項２】
前記移動体を可能に支持する支持部材と、
前記支持部材と前記移動体とを連結し、前記移動体が移動するのを案内する案内手段と
を備え、
前記第一長穴と前記第二長穴は、前記第一回転部材から前記第二回転部材に向かう方向と平行な方向に、前記案内手段を間にして並ぶことを特徴とする請求項１に記載の遊技機。
【請求項３】
前記移動体に設けられ、前記第一長穴と前記第二長穴とが並ぶ方向において、前記案内手段に対して前記第一装飾体とは反対側に位置し、前記第二駆動源の動力を得て移動する第二装飾体を備えたことを特徴とする請求項２に記載の遊技機。
【請求項４】
前記第一装飾体は、前記第一長穴の少なくとも一部と上下方向に並ぶ位置に設けられたことを特徴とする請求項３に記載の遊技機。
【請求項５】
前記第一装飾体は、前記第一回転軸線が延びる方向において、前記第二駆動源の少なくとも一部と並ぶ位置に設けられたことを特徴とする請求項１から４のいずれかに記載の遊技機。
【発明の詳細な説明】
【技術分野】
【０００１】
本発明は、遊技機に関する。
【背景技術】
【０００２】
従来、駆動源の動力によって装飾体を回転させる遊技機が知られている。例えば、特許文献１に開示の遊技機は、ステップモータ、カムギヤ、演出部材、軸部、及びレバーを備える。ステップモータは、駆動源の一例であり、カムギヤと連結する。カムギヤは長孔を有する。演出部材は、刀を模った、所定方向に長い装飾体である。レバーは、演出部材の一端部に固定されると共に、軸部によって回転可能に支持される。レバーは、カムギヤの長孔に移動可能に挿通されるピンを有する。
【０００３】
ステップモータの駆動に伴ってカムギヤが回転すると、長孔は、ピンを押す。レバーが軸部を中心に回転することによって、演出部材は、露出位置と格納位置との間を回転する。露出位置にある演出部材は、遊技機の表示面の前方に位置する。格納位置にある演出部材は、正面視で視認不能となる。演出部材が露出位置と格納位置との間を回転する場合、演出部材の重心は、上下方向に変位する。
【先行技術文献】
【特許文献】
【０００４】
【特許文献１】特開２００８−２００１９３号公報
【発明の概要】
【発明が解決しようとする課題】
【０００５】
上記遊技機では、演出部材が回転移動しかしないので、演出部材の動きは単調になるという問題点がある。また、演出部材の長手方向の長さに比べて、レバーの長手方向の長さが短いので、演出部材が露出位置から格納位置に向けて回転する場合において、ステップモータの動力が、演出部材に効率良く伝達されないという問題点がある。さらに、上記遊技機では、ステップモータから動力を得て演出部材を付勢する部材がレバーだけである。従って、演出部材の回転位置によっては、レバーに過度の負荷がかかり、演出部材が安定して回転できないという問題点がある。
【０００６】
本発明の目的は、装飾体を効率良く且つ安定して動作させると共に、装飾体を動作させる演出効果を向上させた遊技機を提供することである。
【課題を解決するための手段】
【０００７】
本発明に係る遊技機は、第一駆動源と、上下方向と交差して延びる第一回転軸線を中心に、前記第一駆動源から動力を得て回転する第一回転部材と、前記第一回転軸線が延びる方向と上下方向とに交差する方向に、前記第一回転部材と並んで設けられ、前記第一回転部材を経由して伝達される前記第一駆動源の動力を得て、前記第一回転軸線と平行な第二回転軸線を中心に回転する第二回転部材と、前記第一回転部材が摺動可能に連結する第一長穴と、前記第二回転部材が摺動可能に連結する第二長穴とを有し、前記第一回転部材と前記第二回転部材がそれぞれ前記第一長穴と前記第二長穴とに対して摺動することで、上下方向に沿って移動する移動体と、前記移動体に移動可能に設けられた第一装飾体と、前記移動体に設けられ、前記第一長穴と前記第二長穴とのうちで前記第一長穴に近い位置に設けられ、前記第一装飾体に動力を付与する第二駆動源とを備えたことを特徴とする。
【０００８】
上記構成によれば、第一装飾体は、第一駆動源と第二駆動源のそれぞれの駆動に応じて移動するので、第一装飾体の動作が多様化し、第一装飾体を動作させる演出効果は、向上する。また、第二駆動源が第一長穴に近い位置にあるので、移動体、第一装飾体、及び第二駆動源を集合体として捉えた場合の重心は、第一長穴に近くなる。従って、第一長穴を介して移動体に伝達される力は、移動体を移動させ易い。また、第一駆動源は、第一回転部材と第二回転部材とを比べると、第一回転部材に効率良く動力を伝達できる。故に、遊技機は、第一駆動源の動力によって、第一装飾体を効率良く動作させることができる。さらに、第一駆動源の動力は、第一回転部材に加えて、第二回転部材を経由して移動体に伝達される。従って、移動体の移動は安定化する。以上より、装飾体を効率良く且つ安定して動作させると共に、装飾体を動作させる演出効果を向上させた遊技機が、実現される。
【０００９】
前記遊技機において、前記移動体を可能に支持する支持部材と、前記支持部材と前記移動体とを連結し、前記移動体が移動するのを案内する案内手段とを備え、前記第一長穴と前記第二長穴は、前記第一回転部材から前記第二回転部材に向かう方向と平行な方向に、前記案内手段を間にして並んでもよい。この場合、案内手段が設けられることによって、移動体の移動は、更に安定化する。また、第一長穴と第二長穴は、案内手段を間にして並ぶ。従って、第一長穴が第一回転部材に付勢されることに起因して案内手段に作用する力と、第二長穴が第二回転部材に付勢されることに起因して案内手段に作用する力は、互いに相殺する。よって、移動体の移動は、更に安定化する。
【００１０】
前記遊技機において、前記移動体に設けられ、前記第一長穴と前記第二長穴とが並ぶ方向において、前記案内手段に対して前記第一装飾体とは反対側に位置し、前記第二駆動源の動力を得て移動する第二装飾体を備えてもよい。この場合、第一駆動源と第二駆動源の動力によって動作する装飾体の個数が増えるので、装飾体を動作させる演出効果は、向上する。さらに、第二装飾体は、案内手段に対して第一装飾体とは反対側に位置する。従って、第一装飾体の動作に起因して案内手段に作用する力と、第二装飾体の動作に起因して案内手段に作用する力は、互いに相殺する。よって、移動体の移動は、更に安定化する。
【００１１】
前記遊技機において、前記第一装飾体は、前記第一長穴の少なくとも一部と上下方向に並ぶ位置に設けられてもよい。この場合、移動体、第一装飾体、及び第二駆動源を集合体として捉えた場合の重心は、第一長穴に更に近くなるので、第一駆動源の動力は、移動体に効率良く伝達される。
【００１２】
前記遊技機において、前記第一装飾体は、前記第一回転軸線が延びる方向において、前記第二駆動源の少なくとも一部と並ぶ位置に設けられてもよい。この場合、移動体、第一装飾体、及び第二駆動源を集合体として捉えた場合の重心は、第一長穴に更に近くなるので、第一駆動源の動力は、移動体に効率良く伝達される。
【図面の簡単な説明】
【００１３】
【図１】パチンコ機１の正面図である。
【図２】遊技盤２の正面図である。
【図３】演出装置８００の正面図である。
【図４】演出装置８００の背面図である。
【図５】下演出装置１００の斜視図である。
【図６】下演出装置１００の分解斜視図である。
【図７】下演出装置１００の別の分解斜視図である。
【図８】左下装飾体１５０と右下装飾体２５０とを省略した下演出装置１００の正面図である。
【図９】上演出装置４００の斜視図である。
【図１０】保持機構５０の正面図である。
【図１１】図１０のＡ−Ａ線矢視方向における保持機構５０の断面図である。
【図１２】第一稼働状態にある演出装置８００の正面図である。
【図１３】第二稼働状態にある演出装置８００の正面図である。
【図１４】第三稼働状態にある演出装置８００の正面図である。
【図１５】演出装置８００の動作に伴う、装飾体の動作の流れを示す説明図である。
【発明を実施するための形態】
【００１４】
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１５】
図１及び図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、遊技球発射装置（図示略）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１６】
遊技盤２の前面には、ガイドレール３で囲まれた略円形の遊技領域４が形成されている。遊技球発射装置（図示略）によって発射された遊技球は、遊技領域４内を流下する。遊技領域４の略中央に、枠状の装飾枠１１が配設されている。装飾枠１１の中央下側に、特別図柄始動入賞口１５が設けられている。特別図柄始動入賞口１５の下側に、遊技領域４の中央下端部まで流下した遊技球を回収するアウト口１６が設けられる。特別図柄始動入賞口１５の右方には、アタッカー１７が配設されている。アタッカー１７が備える開閉部材が開放された場合にのみ、遊技球はアタッカー１７に入賞する。
【００１７】
遊技盤２の後面側には、表示面２７を有する画像表示装置２８が設けられている。表示面２７は、正面視で装飾枠１１の内側に設けられており、例えばＬＣＤ等によって構成される。表示面２７は、例えば、大当たり判定の結果を遊技者に報知する演出用の図柄である演出図柄を表示する。パチンコ機１は、複数（本実施形態では３つ）の演出図柄を変動させる図柄変動を表示した後に、大当たり判定の結果を示す演出図柄の組合せを確定表示する報知演出を実行することで、大当たり判定の結果を遊技者に報知する。遊技領域４の右斜め下部には図柄表示部２４が設けられている。図柄表示部２４は、特別図柄表示部、普通図柄表示部、特別図柄記憶数表示ＬＥＤ、および普通図柄記憶数表示ＬＥＤを備える。
【００１８】
装飾枠１１の後側、且つ表示面２７の前側には、演出装置８００（図３参照）が設けられる。演出装置８００は、下装飾体１８０、左下装飾体１５０、右下装飾体２５０、上装飾体４８０、左上装飾体４５０、及び右上装飾体５５０を夫々動作させる機構である。演出装置８００の構成の詳細は、後述する。
【００１９】
遊技盤２の後面側には、制御部９０が設けられる。制御部９０は、主基板（図示外）及びサブ基板（図示外）等を含む。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、演出装置８００と電気的に接続する。サブ基板は、主基板から送信されるコマンドに従って、演出装置８００等を動作させ、演出に関する総合的な制御を実行する。本実施形態では、遊技球が、特別図柄始動入賞口１５に入賞すると、制御部９０は大当り判定を実行する。制御部９０は、大当たりであると判定すると、大当たり遊技を実行し、アタッカー１７の開閉部材を開放する。制御部９０は、アタッカー１７に入賞した遊技球に応じて、賞球を払い出す。
【００２０】
図３〜図１１を参照し、演出装置８００の構成を説明する。演出装置８００は、下演出装置１００及び上演出装置４００を備える。下演出装置１００は、下装飾体１８０、左下装飾体１５０、及び右下装飾体２５０を動作させる装置である。上演出装置４００は、上装飾体４８０、左上装飾体４５０、及び右上装飾体５５０を動作させる装置である。以下の説明では、下装飾体１８０、左下装飾体１５０、右下装飾体２５０、上装飾体４８０、左上装飾体４５０、及び右上装飾体５５０を総称する場合、「装飾体」と称する。
【００２１】
図３〜図８を参照し、下演出装置１００の構成を説明する。下演出装置１００は、正面視で略矩形状の固定板１０２を備える。固定板１０２は、装飾枠１１（図２参照）の下部の後方に固定される。固定板１０２の前面の左上部には、駆動源の一例であるモータ１０３が設けられる。本実施形態のモータ１０３は、一例としてパルスモータである。モータ１０３の出力軸は固定板１０２を貫通しており、モータ１０３のモータギヤ１０３Ａ（図４参照）は、固定板１０２の後側に配置される。
【００２２】
図４に示すように、モータギヤ１０３Ａの右方には、八つのギヤ部材が並んで設けられる。八つのギヤ部材は、左方から順に、ギヤ１０４、連結ギヤ１０５、第一回転部材１１７、四つの連結ギヤ１０６、及び第二回転部材１１８である。これら八つのギヤ部材では、隣接し合う二つのギヤ部材が、互いに噛み合う。また、ギヤ１０４はモータギヤ１０３Ａとも噛み合う。従って、モータ１０３の動力は、第一回転部材１１７と第二回転部材１１８とに伝達される。本実施形態では、第一回転部材１１７は、モータ１０３の動力が第二回転部材１１８に伝達される動力伝達経路上にある。従って、モータ１０３の動力は、第二回転部材１１８よりも第一回転部材１１７に効率良く伝達される。尚、連結ギヤ１０５と、四つの連結ギヤ１０６は、互いに同一形状（即ち同一歯数）である。さらに、四つの連結ギヤ１０６は、同じ高さに配置されている。
【００２３】
図４及び図５に示すように、第一回転部材１１７は、前後方向に延びる第一回転軸線５７を中心に回転可能な部材である。第一回転部材１１７は、柱状部１１７Ａ、アーム部１１７Ｂ（図５参照）、及びブッシュ１１７Ｃ（図５参照）を備える。柱状部１１７Ａは、固定板１０２を貫通して前後方向に延びる。柱状部１１７Ａの外周面の後部に形成された歯部が、連結ギヤ１０５と、最も左方にある連結ギヤ１０６とに噛み合う。アーム部１１７Ｂは、柱状部１１７Ａの外周面の前部から、第一回転軸線５７と直交して延びる。ブッシュ１１７Ｃは、アーム部１１７Ｂの先端部に設けられる。
【００２４】
第二回転部材１１８は、前後方向に延びる第二回転軸線５８を中心に回転可能な部材である。第二回転部材１１８は、第一回転部材１１７と同一形状であると共に、第一回転部材１１７と同じ高さに設けられる。第二回転部材１１８は、柱状部１１８Ａ、アーム部１１８Ｂ（図５参照）、及びブッシュ１１８Ｃ（図５参照）を備える。柱状部１１８Ａは柱状部１１７Ａに対応する。同様に、アーム部１１８Ｂはアーム部１１７Ｂに、ブッシュ１１８Ｃはブッシュ１１７Ｃに、夫々対応する。
【００２５】
固定板１０２の前方には、正面視で略矩形状の上下動板１２１が設けられる。上下動板１２１は、上下方向に延びるスライドレール１１９を介して固定板１０２に連結する。スライドレール１１９は、固定板１０２と上下動板１２１の夫々の左右方向中央部に連結する。スライドレール１１９の固定レールは、固定板１０２の前面に設けられ、スライドレール１１９の可動レールは、上下動板１２１の後面に設けられる。可動レールは、複数の転動体（図示略）を介して、固定レールに上下動可能に連結する。これにより、上下動板１２１は、固定板１０２によって上下動可能に支持される。尚、第一回転部材１１７と第二回転部材１１８は、スライドレール１１９を基準に左右対称である。
【００２６】
上下動板１２１の前面の上部には、下装飾体１８０が設けられる。下装飾体１８０は、人の顔の下半分を模った装飾部１８２を備える。装飾部１８２は、前方に向けて湾曲する板状であり、上下動板１２１の前面に隙間を空けて対向する。装飾部１８２は透光性を有する樹脂材料によって形成される。装飾部１８２と上下動板１２１との間には、前面にＬＥＤ（図示略）が取り付けられた下基板（図示略）が設けられる。下基板は、制御部９０（図示外）のサブ基板と電気的に接続する。下基板のＬＥＤが放つ光は、装飾部１８２を通過して前方へ向かう。これにより、下装飾体１８０は発光する。
【００２７】
装飾部１８２の左下部には左切欠孔１８３（図６参照）が設けられ、装飾部１８２の右下部には右切欠孔（図示外）が設けられる。左切欠孔１８３と右切欠孔は、いずれも、装飾部１８２の後端を前方に向けて切り欠くと共に、装飾部１８２を厚さ方向に貫通する。
【００２８】
上下動板１２１の左下部には第一長穴１２７が形成され、上下動板１２１の右下部には第二長穴１２８が形成される。第一長穴１２７と第二長穴１２８は、いずれも、左右方向に長く、上下動板１２１を前後方向に貫通する。また、第一長穴１２７と第二長穴１２８は、下装飾体１８０の下側で、スライドレール１１９を基準に左右対称である。
【００２９】
第一長穴１２７には、ブッシュ１１７Ｃが摺動可能に嵌り、第二長穴１２８には、ブッシュ１１８Ｃが摺動可能に嵌る。換言すると、第一回転部材１１７は第一長穴１２７に摺動可能に連結し、第二回転部材１１８は第二長穴１２８に摺動可能に連結する。従って、モータ１０３の駆動に伴って第一回転部材１１７と第二回転部材１１８が夫々回転すると、ブッシュ１１７Ｃ，１１８Ｃが夫々第一長穴１２７と第二長穴１２８とに対して摺動する。ブッシュ１１７Ｃは第一長穴１２７の壁部を上方に付勢し、ブッシュ１１８Ｃは第二長穴１２８の壁部を上方に付勢する。故に、上下動板１２１は上下動できる。この場合、スライドレール１１９が、上下動板１２１の上下動を案内する。
【００３０】
図６に示すように、上下動板１２１の上部には、上下動板１２１を前後方向に貫通する傾斜孔１２５，１２６が形成されている。傾斜孔１２５は第一長穴１２７の上方に位置し、傾斜孔１２６は第二長穴１２８の上方に位置する。傾斜孔１２５，１２６は、スライドレール１１９を基準に、互いに左右対称である。傾斜孔１２５，１２６は、下方に向かうにつれて互いに離隔するように、直線状に延びる。
【００３１】
また、傾斜孔１２５，１２６のそれぞれの上部は、下装飾体１８０の装飾部１８２の後方に配置される。傾斜孔１２５の延設方向の中央部は、下装飾体１８０の左切欠孔１８３の後方に位置し、傾斜孔１２６の延設方向の中央部は、下装飾体１８０の右切欠孔（図示略）の後方に位置する。傾斜孔１２５には左下ラック１４６が摺動可能に嵌り，傾斜孔１２６には右下ラック１４７が摺動可能に嵌る。左下ラック１４６と右下ラック１４７は、上下動板１２１によって移動可能に支持される。左下ラック１４６は、下装飾体１８０の左切欠孔１８３を通過可能であり、右下ラック１４７は、下装飾体１８０の右切欠孔（図示外）を通過可能である。
【００３２】
図４及び図６に示すように、左下ラック１４６は、歯部１４６Ａ、連結部１４６Ｂ、及び連結孔１４６Ｃを備える。歯部１４６Ａは、傾斜孔１２５と平行に延びる略板状であり、傾斜孔１２５の後方にある（図４参照）。尚、図６では図面を見易くする都合、歯部１４６Ａを傾斜孔１２５の前方に配置している。連結部１４６Ｂは傾斜孔１２５に摺動可能に嵌る。連結部１４６Ｂは、螺子（図示略）によって、歯部１４６Ａに固定される。傾斜孔１２５の短手方向において、歯部１４６Ａと連結部１４６Ｂは、いずれも、傾斜孔１２５よりも長い。よって、左下ラック１４６は、傾斜孔１２５によって、前後方向に変位するのを規制される。連結孔１４６Ｃは、連結部１４６Ｂの左下部を前後方向に貫通する。連結孔１４６Ｃは、傾斜孔１２５の短手方向に長い長孔である。換言すると、連結孔１４６Ｃは左下ラック１４６の移動方向と直交する方向に長い。
【００３３】
図４及び図５に示すように、右下ラック１４７は、左下ラック１４６に対して左右対称である。右下ラック１４７は、歯部１４７Ａ、連結部１４７Ｂ、及び連結孔１４７Ｃを備える。歯部１４７Ａは左下ラック１４６の歯部１４６Ａに、連結部１４７Ｂは連結部１４６Ｂに、連結孔１４７Ｃは連結孔１４６Ｃに、夫々対応する。連結部１４７Ｂは傾斜孔１２６に摺動可能に嵌る。右下ラック１４７は、傾斜孔１２６によって、前後方向に変位するのを規制される。
【００３４】
図４及び図７に示すように、上下動板１２１の前面の左上部には、駆動源の一例として駆動モータ１３１が設けられる。駆動モータ１３１は、左下装飾体１５０と右下装飾体２５０との夫々に動力を付与するパルスモータである。駆動モータ１３１は、第一長穴１２７と第二長穴１２８のうち第一長穴１２７に近い位置で、上下動板１２１によって支持される。また、駆動モータ１３１は、第一長穴１２７と上下方向に並ぶ。駆動モータ１３１の出力軸は、上下動板１２１を前後方向に貫通しており、駆動モータ１３１のモータギヤ１３１Ａは、上下動板１２１の後側に位置する。
【００３５】
上下動板１２１の後面には、動力伝達機構１４０が設けられる。動力伝達機構１４０は、駆動モータ１３１の動力を、左下装飾体１５０と右下装飾体２５０とに伝達する機構である。動力伝達機構１４０は、モータギヤ１３１Ａの右方で、五つのギヤ部材を備える。五つのギヤ部材は、左方から順に、駆動ギヤ１４１、噛合ギヤ１４２、連結ギヤ１４３、及びギヤ１４４，１４５である。これら五つのギヤ部材では、隣接し合う二つのギヤ部材が互いに噛み合う。駆動ギヤ１４１は、連結ギヤ１４３、ギヤ１４４，１４５の夫々よりも後側にある。連結ギヤ１４３、ギヤ１４４，１４５は、左下ラック１４６の歯部１４６Ａと略同じ前後方向位置にある。連結ギヤ１４３は、左下ラック１４６の可動範囲から退出した位置にある。噛合ギヤ１４２は、上記五つのギヤ部材のうちで最も前後方向に厚い。
【００３６】
駆動ギヤ１４１は、左下ラック１４６の歯部１４６Ａの後方で、モータギヤ１３１Ａと噛み合う。噛合ギヤ１４２は、一段ギヤであり、左下ラック１４６の可動範囲から退出した位置にある。噛合ギヤ１４２は、前後方向に延びる回転軸線５９を基準とした周方向に沿って延びる歯部１４２Ａを有する。噛合ギヤ１４２の歯部１４２Ａの後部は、駆動ギヤ１４１と噛み合い、歯部１４２Ａの前部は、連結ギヤ１４３及び左下ラック１４６の歯部１４６Ａと噛み合う。さらに、ギヤ１４５は、右下ラック１４７の歯部１４７Ａと噛み合う。よって、駆動モータ１３１が駆動すると、駆動モータ１３１の動力は、左下ラック１４６と右下ラック１４７の夫々に伝達される。
【００３７】
図６及び図７を参照し、左下移動機構１７０を説明する。左下移動機構１７０は、左下ラック１４６移動力によって、左下装飾体１５０を動作させる機構である。左下移動機構１７０は、固定部材１３２、可動部材１３５、左下装飾体１５０、及び変換機構１６０を備える。固定部材１３２は、駆動モータ１３１を前方から覆うように上下動板１２１の左上部に固定された箱状である。可動部材１３５は、固定部材１３２の前面に摺動可能に設けられた、略矩形状の板状である。可動部材１３５は、固定部材１３２の右方を通過して前後方向に延びる棒状部１３６（図６参照）を備える。棒状部１３６の後端部は、上述した左下ラック１４６の連結孔１４６Ｃに摺動可能に嵌る。故に、可動部材１３５は、左下ラック１４６に従動して移動可能である。
【００３８】
可動部材１３５の後面には、左右方向に間隔を空けて並ぶ二本のリブ１３７（図６参照）が設けられる。二本のリブ１３７は、可動部材１３５の後面から後方に突出すると共に、互いに平行に直線状に延びる。また、二本のリブ１３７の後端である突出端は、夫々、円弧状に形成されており、且つ、固定部材１３２の前面に接触する。
【００３９】
左下装飾体１５０は、可動部材１３５の前面に固定される。即ち、左下装飾体１５０は、駆動モータ１３１の前方に位置すると共に、可動部材２３５を介して左下ラック１４６に摺動可能に連結する。本実施形態では、左下装飾体１５０は「ゲイ」の文字を模った装飾体である。左下装飾体１５０は、上下動板１２１の第一長穴１２７の少なくとも左部と上下方向に並ぶ。
【００４０】
左下装飾体１５０は、左下基板１５１、左下枠体１５２、及び左下装飾部１５３を含む。左下基板１５１は、正面視で略逆Ｕ字状である。左下基板１５１の前面には、発光体の一例であるＬＥＤが複数設けられる。左下基板１５１は、制御部９０のサブ基板と電気的に接続する。左下枠体１５２は、一例として、非透光性の樹脂部材によって形成されており、前後方向に開口する。左下装飾部１５３は、透光性の樹脂材料によって形成された、後方に向けて開口する箱状である。左下装飾部１５３は、左下枠体１５２に嵌め込まれ、且つ、左下基板１５１を前方から覆う。左下基板１５１のＬＥＤが前方に向けて放つ光は、左下装飾部１５３を通過する。これにより、左下装飾体１５０は発光する。
【００４１】
図７で示される変換機構１６０は、左下装飾体１５０を固定部材１３２に移動可能に連結させる機構であり、且つ、左下ラック１４６の移動力を左下装飾体１５０の移動力に変換する機構である。以下、演出装置８００が後述の初期状態（図３、図６〜図８等参照）である場合を基準に、変換機構１６０の構成を説明する。
【００４２】
変換機構１６０は、摺動部１６１、接離部１６３、及び連結長孔１６８を備える。摺動部１６１と接離部１６３は、固定部材１３２から前方に向けて突出する略柱状である。摺動部１６１と接離部１６３は、間隔を空けて並ぶ。摺動部１６１と接離部１６３が並ぶ方向は、上下動板１２１の傾斜孔１２５（図６参照）と平行である。
【００４３】
連結長孔１６８は、可動部材１３５を前後方向に貫通する孔であると共に、摺動部１６１と接離部１６３が夫々摺動可能に嵌る孔である。連結長孔１６８の後端部１６９は、二本のリブ１３７（図６参照）と同様、固定部材１３２の前面に接触する。連結長孔１６８（即ち可動部材１３５）は、摺動部１６１と接離部１６３によって、下側から支持される。従って、変換機構１６０は、可動部材１３５と左下装飾体１５０を移動可能に支持する支持機構としても機能する。また、連結長孔１６８は、摺動部１６１の前端部と接離部１６３の前端部によって、前方への移動を規制される。
【００４４】
連結長孔１６８は、第一壁部１６８Ａ、第二壁部１６８Ｂ、連結壁部１６８Ｃ、第三壁部１６８Ｄ、及び第四壁部１６８Ｅを含む。第一壁部１６８Ａと第二壁部１６８Ｂは、摺動部１６１と接離部１６３を間にして直線状に延びる。第一壁部１６８Ａと第二壁部１６８Ｂは、摺動部１６１と接離部１６３が並ぶ方向（即ち傾斜孔１２５が延びる方向）と平行に延びる。連結壁部１６８Ｃは、第一壁部１６８Ａと第二壁部１６８Ｂの夫々の下端部を連結する。連結壁部１６８Ｃは左下方に向けて湾曲する。図７の状態では、連結壁部１６８Ｃは摺動部１６１に接触する。第三壁部１６８Ｄは、第一壁部１６８Ａの上端から、摺動部１６１を中心に正面視で反時計回り側へ湾曲して延びる。第四壁部１６８Ｅは、第二壁部１６８Ｂの上端から、摺動部１６１を中心に正面視で反時計回り側へ湾曲して延びる。
【００４５】
図６、図８、及び図１３を参照し、右下移動機構２７０を説明する。右下移動機構２７０は、右下ラック１４７の移動力によって、右下装飾体２５０を動作させる機構である。右下移動機構２７０は、左下移動機構１７０と略左右対称な機構であるので、以下、左下移動機構１７０と同様の構成については説明を簡略化する。
【００４６】
右下移動機構２７０は、固定部材２３２、可動部材２３５、右下装飾体２５０、及び変換機構２６０を備える。固定部材２３２は、左下移動機構１７０の固定部材１３２に対応する。同様に、可動部材２３５は可動部材１３５に、右下装飾体２５０は左下装飾体１５０に、変換機構２６０は変換機構１６０に、夫々対応する。
【００４７】
固定部材２３２は、上下動板１２１の前面の右上部に固定された箱状である。可動部材２３５は、固定部材２３２の前面に摺動可能に設けられる。可動部材２３５の後面には、可動部材１３５の二本のリブ１３７（図６参照）と左右対称な、二本のリブ（図示略）が設けられる。可動部材２３５の棒状部２３６の後端部は、固定部材２３２の左方で、右下ラック１４７の連結孔１４７Ｃに摺動可能に嵌る。
【００４８】
右下装飾体２５０は、可動部材２３５の前面に固定される。右下装飾体２５０は、第二長穴１２８と上下方向に並ぶ。本実施形態では、右下装飾体２５０は「シャ」の文字を模った装飾体である。右下装飾体２５０は、右下基板、右下枠体、及び右下装飾部を含む。右下基板は左下基板１５１に、右下枠体は左下枠体１５２に、右下装飾部は左下装飾部１５３に、夫々対応する。本実施形態では、左下装飾体１５０と右下装飾体２５０は、一体的な意匠を形成する。換言すると、左下装飾体１５０と右下装飾体２５０は、「ゲイシャ」という特定の概念を遊技者に想起させる。
【００４９】
変換機構２６０は、右下装飾体２５０を固定部材２３２に移動可能に連結させる機構であり、且つ、右下ラック１４７の移動力を右下装飾体２５０の移動力に変換する機構である。変換機構２６０は変換機構１６０と左右対称である。変換機構２６０は、摺動部２６１、接離部２６３、及び連結長孔２６８を備える。摺動部２６１は摺動部１６１に、接離部２６３は接離部１６３に、連結長孔２６８は連結長孔１６８に、夫々対応する。
【００５０】
図１３に示すように、連結長孔２６８は、第一壁部２６８Ａ、第二壁部２６８Ｂ、連結壁部２６８Ｃ、第三壁部２６８Ｄ、及び第四壁部２６８Ｅを含む。第一壁部２６８Ａは第一壁部１６８Ａに、第二壁部２６８Ｂは第二壁部１６８Ｂに、連結壁部２６８Ｃは連結壁部１６８Ｃに、第三壁部２６８Ｄは第三壁部１６８Ｄに、第四壁部２６８Ｅは第四壁部１６８Ｅに、夫々対応する。
【００５１】
図３、図４、及び図９〜図１２を参照し、上演出装置４００の構成を説明する。図３及び図４に示すように、上演出装置４００は、正面視で略矩形状の固定板４０１を備える。固定板４０１の右上部には、駆動源の一例としてモータ４０３が設けられる。本実施形態のモータ４０３は、パルスモータである。モータ４０３の出力軸は前後方向に沿う。モータ４０３の出力軸には、モータギヤ４０３Ａが固定される。
【００５２】
モータギヤ４０３Ａの下方には、上方から下方に向けて順に、ギヤ４０４、４０５、及び回転ギヤ４０６が設けられる。ギヤ４０４は、モータギヤ４０３Ａとギヤ４０５とに噛み合う。ギヤ４０５と回転ギヤ４０６は、互いに噛み合う。回転ギヤ４０６の回転軸線４０７は、前後方向に延びる。回転ギヤ４０６は、駆動するモータ４０３の動力を得ることで、回転軸線４０７を中心に回転する。回転ギヤ４０６は、アーム４０６Ａと回転体４０６Ｂを備える。アーム４０６Ａは、回転軸線４０７と直交して延びる。回転体４０６Ｂは、回転軸線４０７とは反対側のアーム４０６Ａの端部に設けられる。回転体４０６Ｂは、一例としてブッシュである。
【００５３】
回転ギヤ４０６の回転に伴って、回転体４０６Ｂは、初期回転位置（図３参照）と稼働回転位置（図１２参照）との間を、回転する。初期回転位置は、回転体４０６Ｂの回転範囲のうち正面視で時計回り側の端にある。図３の拡大領域Ｖ１内において、最も右方にある回転体４０６Ｂ（二点鎖線によって図示）が、初期回転位置にある。稼働回転位置は、回転体４０６Ｂの回転範囲のうち正面視で反時計回り側の端にある。図１２の拡大領域Ｖ２内において、最も右方にある回転体４０６Ｂ（二点鎖線によって図示）が、稼働回転位置にある。稼働回転位置は、初期回転位置よりも低い回転位置である。初期回転位置から稼働回転位置までの角度は、略２００度である。
【００５４】
以下、回転体４０６Ｂの回転範囲の上端を「上回転位置」（図３参照）と称す。上回転位置は、初期回転位置よりも僅かに正面視で反時計回り側にある。また、上回転位置よりも正面視で反時計回り側にあり、且つ初期回転位置と同じ高さの回転位置を、「特定回転位置」（図３参照）と称す。図３の拡大領域Ｖ１内において、中央にある回転体４０６Ｂ（実線によって図示）が、上回転位置にあり、最も左方にある回転体４０６Ｂ（二点鎖線によって図示）が、特定回転位置にある。さらに、回転体４０６Ｂの回転範囲の下端を「下回転位置」（図１２参照）と称す。下回転位置は、稼働回転位置よりも僅かに正面視で時計回り側にある。図１２の拡大領域Ｖ２内において、左方にある回転体４０６Ｂ（実線によって図示）が、下回転位置にある。
【００５５】
図１２に示すように、固定板４０１の前面には、左右方向に長い略箱状の上下動部４２１が、スライドレール４１９を介して連結している。スライドレール４１９は、下演出装置１００のスライドレール１１９と上下方向に並ぶ。スライドレール４１９は、下演出装置１００のスライドレール１１９と同様の構成であり、上下動部４２１の上下動を案内する。スライドレール４１９の固定レール４１９Ａは、固定板４０１の前面の左右方向中央部に固定され、スライドレール４１９の可動レール４１９Ｂは、上下動部４２１の後面の左右方向中央部に固定される。
【００５６】
図３に示すように、上下動部４２１の右下部には、左右方向に長い右長穴４２８が形成されている。右長穴４２８は、上下動部４２１を前後方向に貫通する。右長穴４２８には、回転ギヤ４０６の回転体４０６Ｂが摺動可能に嵌っている。右長穴４２８は、左右方向に直線状に延びる一対の壁部４２８Ａと、一対の壁部４２８Ａの夫々の右端部を接続する壁部である規制部４２８Ｂとを備える。一対の壁部４２８Ａは、上下方向の両側から回転体４０６Ｂを挟んで対向する。回転ギヤ４０６の回転に伴って、回転体４０６Ｂが一対の壁部４２８Ａに対して摺動することで、上下動部４２１は上下動する。また、初期回転位置又は稼働回転位置にある回転体４０６Ｂは、規制部４２８Ｂに対して接触する（図３、図１２参照）。
【００５７】
図９に示すように、上下動部４２１の前壁４２１Ａには、上装飾体４８０が設けられる。上装飾体４８０は下装飾体１８０（図３参照）と上下方向に並ぶ。上装飾体４８０は、人の顔の上半分を模った装飾部４８２を備える。装飾部４８２の下縁部４８２Ａ（図３参照）は、下装飾体１８０の装飾部１８２の上縁部１８２Ａ（図３参照）よりも後側となる前後方向位置にある。装飾部４８２は、前方に向けて湾曲する板状であり、前壁４２１Ａに隙間を空けて対向する。装飾部４８２は、透光性を有する樹脂材料によって形成される。装飾部４８２と前壁４２１Ａの間には、前面にＬＥＤ（図示略）が取り付けたられた上基板（図示略）が設けられる。上基板は、制御部９０（図示外）のサブ基板と電気的に接続する。上基板のＬＥＤが放つ光は、装飾部４８２を通過して前方へ向かう。これにより、上装飾体４８０は発光する。
【００５８】
上下動部４２１の前壁４２１Ａには、傾斜孔４２５，４２６が形成されている。傾斜孔４２５，４２６は、スライドレール４１９の可動レール４１９Ｂ（図３参照）を基準に左右対称であると共に、上方向に向かうにつれて互いに離隔するように直線状に延びる。傾斜孔４２５は、下演出装置１００の傾斜孔１２５（図４参照）に対して上下略対称であり、傾斜孔４２６は、下演出装置１００の傾斜孔１２６（図４参照）に対して上下略対称である。傾斜孔４２５，４２６の夫々の下部は、上装飾体４８０の装飾部４８２の後方に配置される。
【００５９】
図４に示すように、上下動部４２１には、駆動機構４４０が設けられる。駆動機構４４０は、左上装飾体４５０と右上装飾体５５０とをそれぞれ動作させる機構である。駆動機構４４０は、駆動モータ４４１（図３参照）、ギヤ群４４２、左上ラック４４３、及び右上ラック４４４を含む。駆動モータ４４１は、上下動部４２１の前壁４２１Ａの前面に固定されたパルスモータである。駆動モータ４４１は、右長穴４２８の一対の壁部４２８Ａと、上下方向に並ぶ。駆動モータ４４１の出力軸は、前壁４２１Ａを貫通しており、駆動モータ４４１のモータギヤ４４１Ａは、上下動部４２１の内部に位置する。
【００６０】
ギヤ群４４２は、モータギヤ４４１Ａと噛み合うギヤ部材を含む、複数の動力伝達部材によって構成される。左上ラック４４３は傾斜孔４２５（図９参照）に摺動可能に嵌り、右上ラック４４４は傾斜孔４２６（図９参照）に摺動可能に嵌る。左上ラック４４３は、下演出装置１００の左下ラック１４６と略上下対称であり、右上ラック４４４は、右下ラック１４７と略上下対称である。左上ラック４４３と右上ラック４４４の詳細な説明は省略する。左上ラック４４３の歯部４４３Ａと、右上ラック４４４の歯部４４４Ａは、夫々、ギヤ群４４２に連結する。従って、左上ラック４４３と右上ラック４４４は、夫々、駆動モータ４４１の動力を、ギヤ群４４２を介して得ることにより、傾斜孔４２５，４２６に沿って移動できる。
【００６１】
図９及び図１２に示すように、上下動部４２１には、左上移動機構４７０が設けられる。左上移動機構４７０は、駆動機構４４０（図４参照）の動力によって、左上装飾体４５０を動作させる機構である。左上移動機構４７０は、左下移動機構１７０（図７参照）と略上下対称な機構であるので、以下、左下移動機構１７０と同様の構成については説明を簡略化する。
【００６２】
左上移動機構４７０は、固定部材４３２（図９参照）、可動部材４３５、左上装飾体４５０、及び変換機構４６０を備える。固定部材４３２は、左下移動機構１７０の固定部材１３２に対応する。同様に、可動部材４３５は可動部材１３５に、左上装飾体４５０は左下装飾体１５０に、変換機構４６０は変換機構１６０に、夫々対応する。
【００６３】
固定部材４３２は、前壁４２１Ａの前面の左上部を覆って、上下動部４２１に固定された箱状である。可動部材４３５は、固定部材４３２の前面に摺動可能に設けられる。可動部材４３５が備える棒状部４３６の後端部は、固定部材４３２の右方で、左上ラック４４３に摺動可能に連結する。従って、可動部材４３５は、左上ラック４４３に従動して移動可能である。左上装飾体４５０は、「ロ」の文字を模った装飾体である。左上装飾体４５０は、左下基板１５１（図７参照）に対応する左上基板（図示略）を備える。左上基板は、制御部９０のサブ基板と電気的に接続する。
【００６４】
変換機構４６０（図１２参照）は、左上装飾体４５０を固定部材４３２に移動可能に連結させる機構であり、且つ、左上ラック４４３の移動力を左上装飾体４５０の移動力に変換する機構である。変換機構４６０は、摺動部４６１、接離部４６３、及び連結長孔４６８を備える。摺動部４６１は摺動部１６１に、接離部４６３は接離部１６３に、連結長孔４６８は連結長孔１６８に、夫々対応する。連結長孔４６８は、第一壁部４６８Ａ、第二壁部４６８Ｂ、連結壁部４６８Ｃ、第三壁部４６８Ｄ、及び第四壁部４６８Ｅを含む。第一壁部４６８Ａは第一壁部１６８Ａに、第二壁部４６８Ｂは第二壁部１６８Ｂに、連結壁部４６８Ｃは連結壁部１６８Ｃに、第三壁部４６８Ｄは第三壁部１６８Ｄに、第四壁部４６８Ｅは第四壁部１６８Ｅに、夫々対応する。
【００６５】
上下動部４２１には、右上移動機構５７０が設けられる。右上移動機構５７０は、右下移動機構２７０と上下対称な機構である。右上移動機構５７０は、固定部材５３２、可動部材５３５、右上装飾体５５０、及び変換機構５６０を備える。固定部材５３２は固定部材２３２に、可動部材５３５は可動部材２３５に、右上装飾体５５０は右下装飾体２５０に、変換機構５６０は変換機構２６０に、夫々対応する。
【００６６】
右上装飾体５５０は、「ボ」の文字を模った装飾体である。右上装飾体５５０は、前面にＬＥＤ（図示略）が取り付けられた右上基板を備える。変換機構５６０は、摺動部５６１、接離部５６３、及び連結長孔５６８を備える。摺動部５６１は摺動部２６１（図７参照）に、接離部５６３は接離部２６３に、連結長孔５６８は連結長孔２６８に、夫々対応する。連結長孔５６８は、第一壁部５６８Ａ、第二壁部５６８Ｂ、連結壁部５６８Ｃ、第三壁部５６８Ｄ、及び第四壁部５６８Ｅを備える。第一壁部５６８Ａは第一壁部２６８Ａに、第二壁部５６８Ｂは第二壁部２６８Ｂに、連結壁部５６８Ｃは連結壁部２６８Ｃに、第三壁部５６８Ｄは第三壁部２６８Ｄに、第四壁部５６８Ｅは第四壁部２６８Ｅに、夫々対応する。
【００６７】
左上装飾体４５０と右上装飾体５５０は、一体的な意匠を形成する。換言すると、左上装飾体４５０と右上装飾体５５０は、「ロボ」という特定の概念を遊技者に想起させる。さらに、本実施形態では、左上装飾体４５０、右上装飾体５５０、左下装飾体１５０、右下装飾体２５０は、一体的な意匠を形成し、「ロボゲイシャ」という特定の概念を遊技者に想起させる。
【００６８】
図１０及び図１１を参照し、上演出装置４００が備える保持機構５０を説明する。図１０は、図９の領域Ｗ１内にある部材を拡大した正面図である。本実施形態の保持機構５０は、磁性体の磁力によって上下動部４２１を所定の位置にて保持する機構である。
【００６９】
保持機構５０は、保持部６０、第一磁性体８１、非磁性体８３、第二磁性体８２、及び螺子８５を備える。保持部６０は、固定板４０１の上端部に設けられた、正面視で略逆Ｕ字状である。保持部６０の内側空間は、前後方向に開放されている。
【００７０】
保持部６０は、平板６１、規制部６３、一対の側壁６５、及び円筒６８を備える。平板６１は、平面視で略矩形状である。規制部６３は、平板６１の前端から下方に向けて突出する。一対の側壁６５は、平板６１の左右両端部から下方に向けて延出する。一対の側壁６５の先端部６５Ａは、夫々、互いに近接する方向へ突出する。一対の先端部６５Ａは、規制部６３よりも下側にある。円筒６８は、平板６１の上面の後部に設けられると共に、前後方向に延びる。円筒６８の後端は、平板６１と一体的に形成されており、後方に向けて開口する。
【００７１】
第一磁性体８１は、保持部６０の内側空間に収容される板状である。第一磁性体８１は、一対の先端部６５Ａによって下方から保持されると共に、規制部６３によって前方への移動を規制される。第一磁性体８１のうち、一対の先端部６５Ａの間にある下面は、下方に向けて露出する。第一磁性体８１は、スライドレール４１９（図４参照）と上下方向に並ぶ。
【００７２】
非磁性体８３は、上下動部４２１の上壁部と一体的に形成された、上方に向けて凸状になった板である。非磁性体８３は、上下動部４２１と一体的に上下動することで、下方へ露出する第一磁性体８１に接離する。第二磁性体８２は、非磁性体８３の下面に取り付けられた板状である。
【００７３】
可動範囲の上端にある非磁性体８３は、第一磁性体８１の下面に接触する。この場合、第一磁性体８１と第二磁性体８２は、非磁性体８３を挟み込んで、互いに引きつけられる。これにより、上下動部４２１は、第一磁性体８１と第二磁性体８２との磁力によって、保持される。
【００７４】
螺子８５は、円筒６８の内側に締結される。螺子８５は頭部８５Ａを備える。頭部８５Ａは、平板６１の後面と第一磁性体８１の後面とに対して接触する。故に、螺子８５は、第一磁性体８１が後方へ移動するのを規制する。本実施形態では、パチンコ機１の組立作業者は、第一磁性体８１を後方から保持部６０の内側空間に挿入した後に、螺子８５を円筒６８に締結する。これにより、組立作業者は、第一磁性体８１を保持部６０に容易に取り付けることができる。
【００７５】
図３に示すように、保持機構５０の左方（即ちスライドレール４１９の左方）には、弾性部材４９０が設けられる。本実施形態の弾性部材４９０は、固定板４０１の左端部と上下動部４２１の左端部とを連結する引張スプリングである。非磁性体８３が第一磁性体８１に接触している場合、弾性部材４９０は弾性変形していない自然状態である。一方、非磁性体８３が第一磁性体８１から下方に離隔した場合、弾性部材４９０は弾性変形し、上下動部４２１を上方に向けて付勢する。
【００７６】
保持機構５０の右方、且つ、駆動モータ４４１の上方には、検知機構５８０が設けられる。検知機構５８０は、検知部５８２と被検知板５８５を備える。検知部５８２は、固定板４０１の上端部の右部に設けられ、モータ４０３の左方に位置する。本実施形態の検知部５８２は、前後方向に隙間を空けて並ぶ発光体と受光体とを備えたフォトインタラプタである。検知部５８２は、制御部９０のサブ基板に電気的に接続する。被検知板５８５は、上下動部４２１から上方に向けて突出すると共に、正面視で略矩形状である。
【００７７】
非磁性体８３が第一磁性体８１に接触している場合、被検知板５８５は、検知部５８２の発光体と受光体の間の隙間を通過して、被検知板５８５から上方に突出する（図３参照）。この場合、被検知板５８５が、検知部５８２の発光体から受光体に向けて照射される光を遮断し、検知部５８２は被検知板５８５を検知する。一方、非磁性体８３が第一磁性体８１から下方に離隔している場合、被検知板５８５は、検知部５８２よりも下方に位置する。この場合、検知部５８２の受光体は、発光体が照射する光を受光し、検知部５８２は被検知板５８５を検知しない。
【００７８】
図３、図１２〜図１５を参照し、演出装置８００の動作方法を説明する。図１２〜図１４では、左下装飾体１５０、右下装飾体２５０、左上装飾体４５０、及び右上装飾体５５０の図示を省略する。本実施形態では、一例として、演出装置８００は、大当たり遊技に伴って動作する。演出装置８００が動作前の初期状態である場合、下装飾体１８０、左下装飾体１５０、及び右下装飾体２５０は、夫々、可動範囲の下端位置にある。さらに、上装飾体４８０、左上装飾体４５０、及び右上装飾体５５０は、夫々、可動範囲の上端位置にあり、回転ギヤ４０６は初期回転位置にある。尚、図３では、初期状態の演出装置８００を図示するが、図面を見易くする都合、上演出装置４００の回転体４０６Ｂを、初期回転位置ではなく、上回転位置に配置している。
【００７９】
また、演出装置８００が初期状態である場合、変換機構１６０，２６０，４６０，５６０は、いずれも、第一状態（図１２，図１３参照）にある。変換機構１６０が第一状態である場合、第一壁部１６８Ａと第二壁部１６８Ｂは、いずれも、摺動部１６１と接離部１６３との夫々に対して接触し、連結壁部１６８Ｃは摺動部１６１に接触する。また、棒状部１３６は連結孔１４６Ｃの右下部に接触し、左下ラック１４６の右上部は、下装飾体１８０の後方に配置される。変換機構２６０が第一状態である場合、第一壁部２６８Ａと第二壁部２６８Ｂは、いずれも、摺動部２６１と接離部２６３との夫々に対して接触し、連結壁部２６８Ｃは摺動部２６１に接触する。また、棒状部２３６は連結孔１４７Ｃの左下部に接触し、右下ラック１４７の左上部は、下装飾体１８０の後方に配置される。変換機構４６０，５６０が第一状態である場合も夫々同様であるので、詳細な説明を省略する。
【００８０】
演出装置８００が動作する場合に制御部９０（図２参照）が実行する処理の概要を説明する。制御部９０は、第一駆動処理、第二駆動処理、発光処理、及び復帰処理を順に実行する。第一駆動処理は、制御部９０がモータ１０３，４０３を駆動制御する処理である。第二駆動処理は、制御部９０が駆動モータ１３１，４４１を駆動制御する処理である。発光処理は、制御部９０が下基板、左下基板１５１、右下基板、左上基板、上基板、及び右上基板の夫々のＬＥＤを制御する処理である。復帰処理は、制御部９０が、駆動モータ１３１，４４１を駆動制御した後に、モータ１０３，４０３を駆動制御して、演出装置８００を初期状態に戻す処理である。以下、各処理の実行に伴う演出装置８００の動作の詳細を説明する。
【００８１】
図３、図１２、及び図１５（ａ），（ｂ）を参照し、第一駆動処理を説明する。制御部９０が下演出装置１００のモータ１０３を駆動制御することで、第一回転部材１１７は正面視で反時計回りに回転し、第二回転部材１１８は正面視で時計回りに回転する。上下動板１２１は、スライドレール１１９によって案内されながら上昇する。下装飾体１８０、左下装飾体１５０、及び右下装飾体２５０は、表示面２７（図２参照）の下部の前方を通って、一体的に上昇する。
【００８２】
制御部９０は、モータ１０３と同時に上演出装置４００のモータ４０３を駆動制御する。回転体４０６Ｂは、回転ギヤ４０６と共に正面視で反時計回りに回転する。回転体４０６Ｂが、初期回転位置から上回転位置を経由して特定回転位置に到達するまでの間、回転体４０６Ｂの高さ位置は、僅かに変化する。つまり、回転体４０６Ｂは、右長穴４２８を僅かに上下動させる。ここで、スライドレール４１９の固定レール４１９Ａと可動レール４１９Ｂとの間には、微小な隙間がある。従って、回転体４０６Ｂが特定回転位置に到達するまでの間、右長穴４２８が上下動することで、上下動部４２１は、可動レール４１９Ｂと共に、固定レール４１９Ａを支点に僅かに回動する。
【００８３】
特に、本実施形態では、回転体４０６Ｂが上回転位置から特定回転位置に向けて回転する間に、上下動部４２１の回転角度は大きくなる。上下動部４２１は、正面視で時計回り（図３の矢印Ａ方向）に回動する。この場合、非磁性体８３（図１０参照）は、第一磁性体８１に対して右方へ摺動する。非磁性体８３は第一磁性体８１に接触した状態を維持し、上下動部４２１は、第一磁性体８１と第二磁性体８２との磁力によって保持された状態を維持する。従って、弾性部材４９０は、弾性変形することなく自然状態を維持する。また、検知機構５８０の被検知板５８５は、上下動部４２１の回転に伴って下方に変位するが、検知部５８２の発光体と受光体の隙間に位置した状態を維持する。従って、回転体４０６Ｂが特定回転位置に到達するまでの間、検知部５８２は被検知板５８５を検知し続ける。
【００８４】
回転体４０６Ｂが特定回転位置を通過した場合、非磁性体８３は第一磁性体８１から下方に離隔し、上下動部４２１はスライドレール４１９によって案内されながら下降する。また、被検知板５８５は検知部５８２よりも下方に移動し、検知機構５８０の検知部５８２は、被検知板５８５を検知しなくなる。弾性部材４９０は、自然状態から上下方向に引き伸ばされて弾性変形する。上装飾体４８０、左上装飾体４５０、及び右上装飾体５５０は、表示面２７（図２参照）の上部の前方を通って、一体的に下降する。
【００８５】
上下動板１２１が可動範囲の上端位置に到達すると同時に、回転体４０６Ｂは稼働回転位置に到達し、上下動部４２１は可動範囲の下端近傍に到達する（図１２参照）。制御部９０は、モータ１０３，４０３を駆動停止し、第一駆動処理を終了する。尚、図１２で示される回転体４０６Ｂは下回転位置に位置するが、実際の回転体４０６Ｂは稼働回転位置に位置する（図１３，図１４も同様）。
【００８６】
制御部９０が第一駆動処理を終了したとき、下装飾体１８０の上縁部１８２Ａは、上装飾体４８０の下縁部４８２Ａの前方に配置される（図１５（ｂ）参照）。下装飾体１８０と上装飾体４８０は、表示面２７（図２参照）の中心部の前方で、人の顔を模った一体的な意匠を形成する。以下、第一駆動処理終了時における演出装置８００の状態を、「第一稼働状態」と称す（図１２参照）。演出装置８００が第一稼働状態である場合、下装飾体１８０と上装飾体４８０は、左下装飾体１５０、右下装飾体２５０、左上装飾体４５０、及び右上装飾体５５０によって、前方から覆われている。従って、下装飾体１８０と上装飾体４８０は、視認困難である。
【００８７】
図４、図５、図９、図１３、及び図１５（ｂ），（ｃ）を参照し、第二駆動処理を説明する。制御部９０は、駆動モータ１３１，４４１を同時に駆動する。換言すると、駆動モータ１３１，４４１は、互いに連動して駆動する。
【００８８】
駆動モータ１３１の駆動に伴い、左下ラック１４６は、下装飾体１８０の左切欠孔１８３を通過しながら傾斜孔１２５に沿って下降し、右下ラック１４７は、下装飾体１８０の右切欠孔を通過しながら傾斜孔１２６に沿って下降する。左下ラック１４６と右下ラック１４７は、互いに連動して左右対称に直線移動する。同時に、駆動モータ４４１の駆動に伴い、左上ラック４４３は傾斜孔４２５に沿って上昇し、右上ラック４４４は傾斜孔４２６に沿って上昇する。左上ラック４４３と右上ラック４４４は、互いに連動して左右対称に直線移動する。また、左下ラック１４６と左上ラック４４３の動きは、互いに上下対称であり、右下ラック１４７と左上ラック４４３の動きは、互いに上下対称である。
【００８９】
移動する左下ラック１４６は、第一壁部１６８Ａと第二壁部１６８Ｂの延設方向と略平行に、可動部材１３５の棒状部１３６を付勢する。変換機構１６０が第一状態であるので、第一壁部１６８Ａと第二壁部１６８Ｂは、摺動部１６１と接離部１６３との夫々に接触している。従って、可動部材１３５と左下装飾体１５０は、棒状部１３６を連結孔１４６Ｃの右下部に接触させたまま、左下ラック１４６に従動して下降する。可動部材１３５と左下装飾体１５０は、第一壁部１６８Ａと第二壁部１６８Ｂの延設方向に沿って下降する。即ち、第一状態の変換機構１６０は、左下ラック１４６の移動力を、左下装飾体１５０を直線移動させる力に変換する。故に、左下装飾体１５０は、左下ラック１４６と一体的に左下方に直線移動する。尚、可動部材１３５が動作する場合、連結長孔１６８の後端部１６９と二本のリブ１３７は、固定部材１３２の前面に対して摺動し、第一壁部１６８Ａと第二壁部１６８Ｂは夫々、摺動部１６１と接離部１６３とに対して摺動する。
【００９０】
同様に、第一状態の変換機構２６０は、右下ラック１４７の移動力を、右下装飾体２５０が直線移動する力に変換する。第一状態の変換機構４６０は、左上ラック４４３の移動力を、左上装飾体４５０が直線移動する力に変換し、第一状態の変換機構５６０は、右上ラック４４４の移動力を、右上装飾体５５０が直線移動する力に変換する。故に、右下装飾体２５０は右下ラック１４７と一体的に右下方に直線移動し、左上装飾体４５０は左上ラック４４３と一体的に左上方に直線移動し、右上装飾体５５０は右上ラック４４４と一体的に右上方に直線移動する。
【００９１】
図１３に示すように、制御部９０は、駆動モータ１３１，４４１（図３、図５参照）の夫々に、所定パルス数のパルス信号を入力する結果、接離部１６３は、第一壁部１６８Ａと第二壁部１６８Ｂの夫々の上端部に接触する。同様に、接離部２６３は、第一壁部２６８Ａと第二壁部２６８Ｂの夫々の上端部に、接離部３６３は、第一壁部４６８Ａと第二壁部４６８Ｂの夫々の上端部に、接離部４６３は、第一壁部５６８Ａと第二壁部５６８Ｂの夫々の上端部に接触する。以下、このときの演出装置８００の状態を、「第二稼働状態」（図１３参照）と称す。
【００９２】
演出装置８００が第二稼働状態になった後も、制御部９０は駆動モータ１３１，４４１の夫々にパルス信号を入力し続ける。結果、接離部１６３は、第一壁部１６８Ａと第二壁部１６８Ｂに代えて、第三壁部１６８Ｄと第四壁部１６８Ｅとに接触する（図１４参照）。同様に、接離部２６３は、第三壁部２６８Ｄと第四壁部２６８Ｅとに接触し、接離部３６３は、第三壁部４６８Ｄと第四壁部４６８Ｅとに接触し、接離部４６３は、第三壁部５６８Ｄと第四壁部５６８Ｅとに接触する（図１４参照）。以下、このときの変換機構１６０，２６０，４６０，５６０の状態を夫々、「第二状態」と称す。
【００９３】
変換機構１６０が第二状態になった場合、摺動部１６１は、第一壁部１６８Ａと第二壁部１６８Ｂとに接触し続ける一方、接離部１６３は、第一壁部１６８Ａと第二壁部１６８Ｂから離隔して、第三壁部１６８Ｄと第四壁部１６８Ｅとに接触する。これにより、左下ラック１４６によって付勢される可動部材１３５と左下装飾体１５０は、摺動部１６１を中心に、正面視で時計回りに回転する。また、棒状部１３６は、連結孔１４６Ｃに対して、左上方へ摺動する。接離部１６３が、第三壁部１６８Ｄと第四壁部１６８Ｅとに対して摺動することで、左下装飾体１５０は回転を案内される。換言すると、第二状態の変換機構１６０は、左下ラック１４６の移動力を、左下装飾体１５０が摺動部１６１を中心に正面視で時計回りに回転する力に変換する。故に、左下装飾体１５０は、左下ラック１４６に従動しながら、正面視で時計回りに回転する。
【００９４】
同様に、第二状態の変換機構２６０は、右下ラック１４７の移動力を、右下装飾体２５０が摺動部２６１を中心に正面視で反時計回りに回転する力に変換する。第二状態の変換機構４６０は、左上ラック４４３の移動力を、左上装飾体４５０が摺動部４６１を中心に正面視で反時計回りに回転する力に変換する。第二状態の変換機構５６０は、右上ラック４４４の移動力を、右上装飾体５５０が摺動部５６１を中心に正面視で時計回りに回転する力に変換する。故に、右下装飾体２５０は右下ラック１４７に従動しながら正面視で反時計回りに回転し、左上装飾体４５０は左上ラック４４３に従動しながら正面視で反時計回り回転し、右上装飾体５５０は右上ラック４４４に従動しながら正面視で時計回りに回転する。
【００９５】
制御部９０は、所定のタイミングで、駆動モータ１３１，４４１の夫々に対するパルス信号の入力を停止する。左下装飾体１５０、右下装飾体２５０、左上装飾体４５０、及び右上装飾体５５０は、夫々の回転を停止する（図１５（ｄ）参照）。以下、このときの演出装置８００の状態を、「第三稼働状態」（図１４参照）と称す。尚、図２では、演出装置８００が第三稼働状態における装飾体を、二点鎖線によって図示する。
【００９６】
図１５（ｂ）〜（ｄ）に示すように、演出装置８００が、第一稼働状態から、第二稼働状態及び三稼働状態に順に切り替わる間、左下装飾体１５０と右下装飾体２５０は互いに左右対称に動作（即ち直線移動と回転移動）し、左上装飾体４５０と右上装飾体５５０は互いに左右対称に動作する。また、左下装飾体１５０の動作と、左上装飾体４５０の動作は、互いに上下対称であり、右下装飾体２５０の動作と右上装飾体５５０の動作は、互いに上下対称である。更に、本実施形態では、左下装飾体１５０、右下装飾体２５０、左上装飾体４５０、及び右上装飾体５５０は、制御部９０による第一駆動処理と第二駆動処理の実行に伴って、互いに離隔する方向へ動作する。
【００９７】
左下装飾体１５０、右下装飾体２５０、左上装飾体４５０、及び右上装飾体５５０が上記の動作を実行することで、下装飾体１８０と上装飾体４８０は、前方に向けて徐々に露出する。そして、演出装置８００が第三稼働状態になったときには、下装飾体１８０と上装飾体４８０は、視認容易となっている。
【００９８】
図１５（ｄ）を参照し、発光処理を実行する。制御部９０は、下基板、左下基板１５１（図７参照）、右下基板、上基板、左上基板、及び右上基板のＬＥＤを駆動制御して発光させる。演出装置８００の装飾体が所定時間の間だけ発光した後、制御部９０はＬＥＤの発光を停止する。
【００９９】
最後に、制御部９０は復帰処理を実行する。制御部９０は、駆動モータ１３１，４４１を夫々逆転駆動した後、モータ１０３，４０３を夫々逆転駆動する。これにより、演出装置８００は、第三稼働状態、第二稼働状態、第一稼働状態、及び初期状態の順に切り替わる。変換機構１６０，２６０，４６０，５６０は、夫々、第二状態から第一状態に切り替わる。尚、回転体４０６Ｂが稼働回転位置から特定回転位置に向けて回転する場合、弾性部材４９０は、上下動部４２１の上方への移動を補助する。
【０１００】
以上説明したように、左下装飾体１５０は、モータ１０３と駆動モータ４４１の夫々の駆動に応じて、移動する。これにより、左下装飾体１５０の動作が多様化するので、パチンコ機１は装飾体を動作させる演出効果を向上できる。また、駆動モータ４４１は、第一長穴１２７と第二長穴１２８とのうち第一長穴１２７に近い位置に設けられる。これにより、上下動板１２１、左下装飾体１５０、及び駆動モータ４４１を集合体として捉えた場合の重心は、第一長穴１２７に近くなる。従って、ブッシュ１１７Ｃと第一長穴１２７を介して上下動板１２１に伝達される、モータ１０３の動力は、上下動板１２１を上下動させ易い。さらに上述したように、モータ１０３は、第一回転部材１１７と第二回転部材１１８とを比べると、第一回転部材１１７に効率良く動力を伝達できる。よって、パチンコ機１は、モータ１０３の動力によって、左下装飾体１５０を効率良く動作させることができる。さらに、モータ１０３の動力は、ブッシュ１１８Ｃと第二長穴１２８を介して、上下動板１２１に伝達される。モータ１０３の動力が上下動板１２１に伝達される位置が、左右方向に二つ並ぶので、上下動板１２１の上下動は安定化する。以上より、装飾体を効率良く且つ安定して動作させると共に、装飾体を動作させる演出効果を向上させたパチンコ機１が実現される。
【０１０１】
スライドレール１１９が設けられることによって、上下動板１２１の上下動は、更に安定化する。第一長穴１２７と第二長穴１２８は、スライドレール１１９を間にして左右方向に並んで設けられる。また、第一駆動処理では、ブッシュ１１７Ｃが第一長穴１２７の壁部を上方に付勢すると共に、ブッシュ１１８Ｃが第二長穴１２８の壁部を上方に付勢する。ブッシュ１１７Ｃ，１１８Ｃが、スライドレール１１９を中心に上下動板１２１を回転させようとする向きは、互いに反対方向である。従って、ブッシュ１１７Ｃによる付勢に起因してスライドレール１１９に加わる力と、ブッシュ１１８Ｃによる付勢に起因してスライドレール１１９に加わる力は、互いに相殺し易い。従って、上下動板１２１の上下動に伴ってスライドレール１１９に加わる力が低減するので、パチンコ機１は、上下動板１２１の上下動を更に安定化できる。
【０１０２】
左下装飾体１５０に加えて右下装飾体２５０が、上下動板１２１に設けられる。モータ１０３と駆動モータ１３１との動力によって動作する装飾体の個数が増えるので、パチンコ機１は装飾体を動作させる演出効果を、向上できる。また、右下装飾体２５０は、スライドレール１１９に対して左下装飾体１５０とは反対側に設けられ、左下装飾体１５０と左右対称に動作する。従って、左下装飾体１５０の動作に伴って、スライドレール１１９を中心に上下動板１２１を回転させようとする力と、右下装飾体２５０の動作に伴って、スライドレール１１９を中心に上下動板１２１を回転させようとする力は、互いに反対方向を向き、相殺し易い。従って、モータ１０３と駆動モータ１３１の夫々の駆動に伴ってスライドレール１１９に加わる力が更に低減するので、パチンコ機１は、上下動板１２１の上下動を更に安定化できる。
【０１０３】
左下装飾体１５０は、第一長穴１２７の少なくとも左部と上下方向に並ぶ位置に設けられる。この場合、上下動板１２１、左下装飾体１５０、及び駆動モータ１３１を集合体として捉えた場合の重心は、第一長穴１２７に近くなる。また、左下装飾体１５０は、駆動モータ１３１に対して前方から並ぶ位置に設けられる。従って、上下動板１２１、左下装飾体１５０、及び駆動モータ１３１を集合体として捉えた場合の重心は、第一長穴１２７に更に近くなる。よって、モータ１０３の動力は、上下動板１２１に更に効率良く伝達される。
【０１０４】
第一状態の変換機構１６０は、左下ラック１４６の移動力を、左下装飾体１５０を直線移動させる力に変換する。第二状態の変換機構１６０は、左下ラック１４６の移動力を、左下装飾体１５０を回転移動させる力に変換する。左下装飾体１５０が、直線移動と回転移動を順に実行することで、パチンコ機１は左下装飾体１５０の動きを多様にできる。また、左下装飾体１５０は、単一の駆動源である駆動モータ１３１によって動作するので、左下装飾体１５０を動作させる機構は、簡易になる。換言すると、左下装飾体１５０を直線移動させるモータと、左下装飾体１５０を回転移動させる別のモータとを備えた機構を採用した場合に比べて、左下装飾体１５０を動作させる機構は、簡易になる。以上より、簡易な機構で、装飾体の動作を多様化させたパチンコ機１が実現される。
【０１０５】
また、左下装飾体１５０を動作させる機構が簡易になるので、左下装飾体１５０を動作させる機構の軽量化が実現される。従って、モータ１０３が上下動板１２１を上昇させる場合において、モータ１０３に加わる負荷は低減し、モータ１０３の脱調は防止される。従って、パチンコ機１は、モータ１０３による下装飾体１８０、左下装飾体１５０、及び右下装飾体２５０の上下動を安定化できる。
【０１０６】
変換機構１６０が第一状態である場合、第一壁部１６８Ａと第二壁部１６８Ｂが、摺動部１６１と接離部１６３とに対して摺動することで、左下装飾体１５０は直線移動する。そして、変換機構１６０が第二状態である場合、接離部１６３が第一壁部１６８Ａと第二壁部１６８Ｂから離隔することによって、左下装飾体１５０は、摺動部１６１を中心に回転する。変換機構１６０の第一状態と第二状態との間における切り替わりは、接離部１６３の第一壁部１６８Ａと第二壁部１６８Ｂとに対する接離によって実現される。よって、変換機構１６０の構成は、更に簡易になる。
【０１０７】
また、変換機構１６０が第一状態である場合、摺動部１６１と接離部１６３は、いずれも、第一壁部１６８Ａと第二壁部１６８Ｂとの夫々に対して摺動する。これにより、可動部材１３５の、傾斜孔１２５の短手方向に沿った変位が制限されるので、パチンコ機１は左下装飾体１５０の直線移動を安定化できる。
【０１０８】
制御部９０が第一駆動処理と第二駆動処理を実行する場合、左下装飾体１５０と右下装飾体２５０の移動に伴って、下装飾体１８０は前方に徐々に露出する。左下装飾体１５０と右下装飾体２５０の動作に伴って、下装飾体１８０の見栄えが大きく変化するので、パチンコ機１は、装飾体の動作に伴う演出効果を向上できる。さらに、右下装飾体２５０を移動させる左下ラック１４６が、下装飾体１８０の左切欠孔１８３を通過して、下装飾体１８０の後側を移動できる。同様に、右下装飾体２５０を移動させる右下ラック１４７が、下装飾体１８０の右切欠孔（図示外）を通過して、下装飾体１８０の後側を移動できる。これにより、装飾部１８２と上下動部４２１との間にある空間が、左下ラック１４６と右下ラック１４７の移動領域に活用できる。故に、パチンコ機１は、装飾体を動作させる機構の配置スペースをコンパクト化できる。
【０１０９】
可動部材１３５が左下ラック１４６に従動して移動する場合、連結長孔１６８の後端部１６９と二本のリブ１３７とが、固定部材１３２の前面に対して摺動する。可動部材１３５と固定部材１３２との接触面積が低減するので、可動部材１３５の固定部材１３２に対しての摺動摩擦は、低減する。よって、駆動モータ１３１に加わる負荷は低減する。尚、同様の理由によって、可動部材２３５と固定部材２３２との摺動摩擦、可動部材４３５と固定部材４３２との摺動摩擦、及び可動部材５３５と固定部材５３２との摺動摩擦は、夫々低減する。
【０１１０】
駆動ギヤ１４１、左下ラック１４６、及び連結ギヤ１４３は、噛合ギヤ１４２と噛み合う。また、左下ラック１４６と連結ギヤ１４３とのうち、左下ラック１４６が、前後方向に駆動ギヤ１４１と並ぶ。よって、ギヤ部材及びラック部材等の動力伝達部材の個数が低減する結果、動力伝達機構１４０の配置スペースが小さくなる。故に、モータ１０３の動力を左下装飾体１５０と右下装飾体２５０に伝達する動力伝達機構１４０を小型化したパチンコ機１が、実現される。
【０１１１】
左下ラック１４６と連結ギヤ１４３は、いずれも、駆動ギヤ１４１よりも前側に設けられる。この場合、左下ラック１４６と連結ギヤ１４３が、前後方向において、駆動ギヤ１４１を間にして並ぶ場合に比べ、動力伝達機構１４０が配置されるスペースは、前後方向に小さくなる。また、駆動ギヤ１４１は、更に、モータ１０３のモータギヤ１０３Ａと噛み合う。従って、駆動ギヤ１４１とモータギヤ１０３Ａとの間に他のギヤ部材を設ける場合に比べて、動力伝達機構１４０が備える動力伝達部材の個数は、更に低減する。以上より、パチンコ機１は動力伝達機構１４０を更に小型化できる。
【０１１２】
左下ラック１４６は、傾斜孔１２５によって前後方向の変位を規制される。従って、パチンコ機１は、左下ラック１４６が駆動ギヤ１４１に接触するのを防止しつつ、左下ラック１４６の移動を傾斜孔１２５で案内できる。よって、左下ラック１４６の移動は、更に安定化できる。
【０１１３】
変換機構１６０，２６０が第一状態である場合において、左下装飾体１５０と右下装飾体２５０は、互いに離隔する方向に左右対称に直線移動する。これにより、装飾体の動きは、多様化しつつも一定の統一感を有する。よって、パチンコ機１は、複数の装飾体を動作させる演出効果を向上できる。
【０１１４】
駆動モータ１３１，４４１の駆動に伴って、左下装飾体１５０と左上装飾体４５０は、互いに同じタイミングで、直線移動した後に回転移動する。これにより、装飾体の動きは、多様化しつつも一定の統一感を有する。よって、パチンコ機１は複数の装飾体を動作させる演出効果を向上できる。
【０１１５】
制御部９０が第一駆動処理を実行する場合、モータ１０３の動力を得た上下動板１２１は、上側に移動し、モータ４０３の動力を得た上下動部４２１は、下側に移動する。これにより、左下装飾体１５０と左上装飾体４５０が夫々、互いに近接する方向に直線移動するので、装飾体の動作は、多様化する。よって、パチンコ機１は、装飾体を動作させる演出効果を向上できる。特に本実施形態では、制御部９０が第一駆動処理と第二駆動処理を順に実行する。従って、左下装飾体１５０と左上装飾体４５０は、互いに近接する方向に直線移動した後に、互いに離隔する方向に直線移動する。更に、一体的な意匠を形成している下装飾体１８０と上装飾体４８０が、左下装飾体１５０と左上装飾体４５０が互いに離隔することで、視認容易となる。故に、第一駆動処理と第二駆動処理が順に実行されることで、本実施形態では装飾体の見栄えの変化は、極めて大きくなり、演出効果は極めて向上する。
【０１１６】
左下装飾体１５０と左上装飾体４５０は、左下ラック１４６と左上ラック４４３の直線移動に伴って、互いに上下対称に移動する。これにより、左下装飾体１５０と左上装飾体４５０の動作は、多様化しつつも統一感を帯びる。よって、パチンコ機１は、装飾体を動作させる演出効果を向上できる。
【０１１７】
第一駆動処理と第二駆動処理では、左下装飾体１５０と左上装飾体４５０に加えて、右下装飾体２５０と右上装飾体５５０が動作する。従って、パチンコ機１は、装飾体の動作を更に多様化できる。また、これら四つの装飾体は、互いに同じタイミングで直線移動と回転移動を実行する。そして、左下装飾体１５０と右下装飾体２５０との動きは、互いに左右対称であり、左上装飾体４５０と右上装飾体５５０との動きは、互いに左右対称である。さらに、左下装飾体１５０の動作と、左上装飾体４５０の動作は、互いに上下対称であり、右下装飾体２５０の動作と、右上装飾体５５０の動作は、互いに上下対称である。故に、複数の装飾体の動作は、多様化しつつも統一感を帯びる。よって、パチンコ機１は、複数の装飾体を動作させる演出効果を更に向上できる。
【０１１８】
左下装飾体１５０、左上装飾体４５０、右下装飾体２５０、及び右上装飾体５５０は、互いに離隔する方向に直線移動して、互いに離隔する方向に回転する。この場合、これら四つの装飾体の動作は、多様化しつつも統一感が生じる。よって、パチンコ機１は装飾体を動作させる演出効果を更に向上できる。
【０１１９】
右上装飾体５５０は、モータ４０３の駆動に応じて上下方向に移動すると共に、駆動モータ４４１の駆動に応じて直線移動と回転移動を順に実行する。つまり、右上装飾体５５０は、モータ４０３と駆動モータ４４１の夫々の駆動に応じて移動する。右上装飾体５５０の動作が多様化するので、パチンコ機１は装飾体を動作させる演出効果を向上できる。また、駆動モータ４４１は、右長穴４２８の一対の壁部４２８Ａと上下方向に並ぶ。従って、上下動部４２１、右上装飾体５５０、及び駆動モータ４４１を集合体と捉えた場合の重心位置は、一対の壁部４２８Ａに近くなる。モータ４０３の動力が、回転体４０６Ｂと右長穴４２８を経由して、上下動部４２１に伝達されるので、上下動部４２１は、モータ４０３の動力を得て、右上装飾体５５０と共に効率良く上下動できる。以上より、装飾体を効率良く動作させると共に、装飾体を動作させる演出効果を向上させたパチンコ機１が実現される。
【０１２０】
制御部９０が復帰処理を実行する場合において、回転体４０６Ｂが、稼働回転位置から下回転位置に向けて下側へ回転する。従って、復帰処理の実行直後におけるモータ４０３に加わる負荷は、低減する。また、回転体４０６Ｂが稼働回転位置から特定回転位置に向かう間、弾性部材４９０は、上下動部４２１が上昇するのを補助する。よって、モータ４０３の脱調は発生しにくい。また、回転体４０６Ｂが稼働回転位置で停止している間（例えば第二駆動処理が実行されている間）において、上方を向く突発的な力が、上下動部４２１に加わる虞がある。上方を向く突発的な力は、例えば、第二駆動処理の実行に伴って、左上装飾体４５０と右上装飾体５５０が上側へ移動することで、発生する。この場合であっても、回転体４０６Ｂは、右長穴４２８の規制部４２８Ｂに接触しているので、正面視で反時計回りへの回転を制限される。よって、上下動部４２１は、上方への移動が制限される。よって、回転体４０６Ｂが稼働回転位置で停止している間において、パチンコ機１は上下動部４２１を安定して保持できる。
【０１２１】
制御部９０が第一駆動処理を実行する前において、回転体４０６Ｂは初期回転位置で停止している。この場合において、下方を向く突発的な力が上下動部４２１に加わっても、回転体４０６Ｂは、右長穴４２８の規制部４２８Ｂに接触しているので、正面視で時計回りへの回転を制限される。よって、上下動部４２１は下方への移動を制限される。よって、回転体４０６Ｂが初期回転位置で停止している間において、パチンコ機１は上下動部４２１を安定して保持できる。
【０１２２】
回転体４０６Ｂが上回転位置から特定回転位置まで回転する間、第一磁性体８１と第二磁性体８２が非磁性体８３を挟み込んで引きよせられたまま、上下動部４２１は回動する。従って、回転体４０６Ｂが上回転位置を通過して回転する場合であっても、上下動部４２１は、第一磁性体８１と第二磁性体８２との磁力によって安定して保持される。
【０１２３】
スライドレール４１９は、第一磁性体８１と上下方向に並ぶ。従って、上下動部４２１がスライドレール４１９を支点に回転する場合において、第一磁性体８１に対して摺動する非磁性体８３の上下方向における移動量は、小さくなる。よって、回転体４０６Ｂが、初期回転位置から特定回転位置に到達するまでの間、非磁性体８３は、第一磁性体８１から離隔しにくく、上下動部４２１は、第一磁性体８１と第二磁性体８２の磁力によって保持され易い。
【０１２４】
回転体４０６Ｂが、初期回転位置と特定回転位置との間を回転する間、被検知板５８５は検知部５８２から突出した状態を維持して、検知部５８２は被検知板５８５を検知できる。一方、回転体４０６Ｂが特定回転位置よりも下回転位置側へ回転すると、被検知板５８５は検知部５８２から下方に離隔し、検知部５８２は被検知板５８５を検知しなくなる。検知機構５８０は、スライドレール４１９よりも右側に配置される。検知機構５８０、駆動モータ４４１、及びモータ４０３は、いずれも、スライドレール４１９に対して右側に集約して配置できる。従って、検知機構５８０、駆動モータ４４１、及びモータ４０３の夫々を、制御部９０のサブ基板に接続するハーネスは、集約され易くなり、上下動部４２１の後面の右上部に設けたクランプ（図示略）によって、束ね易くなる。
【０１２５】
上記実施形態において、パチンコ機１は、本発明の「遊技機」の一例である。モータ１０３は、本発明の「第一駆動源」の一例である。上下動板１２１は、本発明の「移動体」の一例である。左下装飾体１５０は、本発明の「第一装飾体」の一例である。駆動モータ４４１は、本発明の「第二駆動源」の一例である。上下動板１２１は、本発明の「移動体」の一例である。左下装飾体１５０は、本発明の「第一装飾体」の一例である。固定板１０２は、本発明の「支持部材」の一例である。スライドレール１１９は、本発明の「案内手段」の一例である。左下装飾体１５０は、本発明の「第二装飾体」の一例である。左右方向は、本発明の「第一回転軸線が延びる方向と上下方向とに交差する方向」、「前記第一回転部材から前記第二回転部材に向かう方向と平行な方向」の一例である。
【０１２６】
本発明は、上記実施形態に限定されず種々の変形が可能である。表示面２７は、遊技盤２の後方に配置される代わりに、例えば、遊技盤２の前方に配置されてもよい。この場合、表示面２７には、遊技盤２が視認可能となるように、例えば半透過型のＬＣＤが採用される。左下装飾体１５０と右下装飾体２５０は、特定の文字が連なった有意な意匠を形成する代わりに、例えば、建造物、景観、動植物、物品、又は記号等を模った一体的な意匠を形成してもよい。下装飾体１８０と上装飾体４８０、及び、左上装飾体４５０と右上装飾体５５０についても同様である。
【０１２７】
モータ１０３，４０３と駆動モータ１３１，４４１は、それぞれ、パルスモータである代わりに、サーボモータ、ソレノイド、又はエアシリンダ等であってもよい。例えば、モータ１０３に代えてソレノイドが設けられた場合、ソレノイドの駆動に伴って上下動板１２１を上下動させる機構が、採用される。
【０１２８】
演出装置８００は、下演出装置１００と上演出装置４００との何れか一方のみを備えていてもよい。例えば、演出装置８００は、上演出装置４００だけを備えていてもよい。この場合、上演出装置４００は、左上装飾体４５０を備えず、右上装飾体５５０のみを備えていてもよい。さらに、右上装飾体５５０は、第二駆動処理に伴って左下から右上に直線移動する代わりに、例えば、前斜め上方から後斜め下方に直線移動してもよい。つまり、傾斜孔１２６は、前上方から後下方に延びていてもよい。
【０１２９】
また、左下ラック１４６と連結ギヤ１４３とのうち、連結ギヤ１４３が、前後方向に駆動ギヤ１４１と並んでもよい。この場合であっても、駆動ギヤ１４１、左下ラック１４６、及び連結ギヤ１４３が、噛合ギヤ１４２と噛み合うので、動力伝達機構１４０は小型化する。
【０１３０】
連結長孔１６８が、可動部材１３５に代えて固定部材１３２に設けられ、且つ、摺動部１６１と接離部１６３が、固定部材１３２に代えて可動部材１３５に設けられてもよい。本変形例では、連結長孔１６８と、摺動部１６１及び接離部１６３とのうちで、摺動部１６１及び接離部１６３が、左下装飾体１５０及び可動部材１３５と一体的に移動する。変換機構１６０が第一状態である場合、摺動部１６１と接離部１６３が、可動部材１３５の移動に伴って、連結長孔１６８の第一壁部１６８Ａと第二壁部１６８Ｂとに摺動する。これにより、可動部材１３５と左下装飾体１５０は、直線移動する。一方、変換機構１６０が第二状態である場合、摺動部１６１と接離部１６３とのうちで、摺動部１６１のみが、第一壁部１６８Ａと第二壁部１６８Ｂとに対して摺動する。これにより、可動部材１３５と左下装飾体１５０は、回転する。
【０１３１】
変換機構１６０は、第二壁部１６８Ｂ、連結壁部２６８Ｃ、第三壁部１６８Ｄ、及び第四壁部１６８Ｅを備えなくてもよい。つまり、変換機構１６０は、連結長孔１６８に代えて、第一壁部１６８Ａだけを備えていてもよい。この場合であっても、変換機構１６０が第一状態である場合において、左下ラック１４６の左下方への直線移動に伴って、第一壁部１６８Ａが摺動部１６１と接離部１６３との夫々に対して摺動することで、可動部材１３５と左下装飾体１５０は、直線移動できる。また、変換機構１６０が第二状態である場合において、第一壁部１６８Ａが、摺動部１６１と接離部１６３とのうち接離部１６３から離隔すれば、可動部材１３５は摺動部１６１を中心に回転できる。
【０１３２】
非磁性体８３は、第二磁性体８２に対して接触した状態で設けられなくてもよい。例えば、非磁性体８３は、第二磁性体８２から僅かに上方に離隔して設けられてもよい。この場合であっても、回転体４０６Ｂが初期回転位置と特定回転位置との間にある場合において、非磁性体８３が、第一磁性体８１と第二磁性体８２との磁力によって、第一磁性体８１の下面に押圧されていれば、上下動部４２１は安定して保持される。また、非磁性体８３は、第一磁性体８１の下面に接触して設けられていてもよい。この場合、上下動部４２１の上下動に伴って、第二磁性体８２が非磁性体８３に対して接離する構成が、採用される。
【０１３３】
尚、制御部９０は、第一駆動処理と第二駆動処理を夫々実行している間に、演出装置８００が備えるＬＥＤを発光させてもよい。この場合、制御部９０は、発光処理を実行しなくてもよい。また、制御部９０は、第一駆動処理が開始されてから終了するまでの間に、第二駆動処理を開始してもよい。この場合、制御部９０は、モータ１０３，４０３、駆動モータ１３１，４４１を同時に駆動制御する。
【０１３４】
上演出装置４００は、スライドレール４１９に代えて、長穴開口部と摺動連結部とを備えてもよい。この場合、長穴開口部は、上下方向に長く、固定板１０２と上下動部４２１との何れか一方に設けられる。摺動連結部は、固定板１０２と上下動部４２１との何れか他方に設けられると共に、長穴開口部に摺動可能に連結する。
【０１３５】
尚、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【０１３６】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１３７】
１        パチンコ機
５７      第一回転軸線
５８      第二回転軸線
１０２    固定板
１０３    モータ
１１７    第一回転部材
１１８    第二回転部材
１１９    スライドレール
１２７    第一長穴
１２８    第二長穴
１３１    駆動モータ
１５０    左下装飾体
【図１】
2018027259.tif 000003
【図２】
2018027259.tif 000004
【図３】
2018027259.tif 000005
【図４】
2018027259.tif 000006
【図５】
2018027259.tif 000007
【図６】
2018027259.tif 000008
【図７】
2018027259.tif 000009
【図８】
2018027259.tif 000010
【図９】
2018027259.tif 000011
【図１０】
2018027259.tif 000012
【図１１】
2018027259.tif 000013
【図１２】
2018027259.tif 000014
【図１３】
2018027259.tif 000015
【図１４】
2018027259.tif 000016
【図１５】
2018027259.tif 000017